(57)【要約】【課題】パッチン錠を備えた器具において、パッチン錠が嵩張って邪魔になる不便さを解消する。【解決手段】錠本体装着側に固定するベース体３と、前記ベース体に支点枢結したレバー体４１と、前記基部４２１を前記レバー体の枢結４２２し、且つ先端部に掛け止め部４２３を設けた掛け止め体４２とを備えたパッチン錠において、固定体（ベース体）３と付属体（レバー体４１及び掛け止め体４２）４とに分離すると共に、ベース体に支点軸３３を設け、レバー体の支点枢結部に、前記支点軸の差込部と、前記差込部に連続して装着垂下時の受け部（第一受け部）と、掛け止め時の受け部（第二受け部）とを備えた鉤溝４１２を形成してなる。【選択図】　　図１
2004115067.tif 000002
【特許請求の範囲】
【請求項１】
錠本体装着側に固定するベース体と、前記ベース体に支点枢結したレバー体と、基部を前記レバー体に枢結し且つ先端部に掛け止め部を設けた掛け止め体とを備えたパッチン錠において、ベース体とレバー体を分離すると共に、ベース体に支点軸を設け、レバー体の支点枢結部に、前記支点軸の差込部と、前記差込部に連続して装着垂下時の受け部と、掛け止め時の受け部とを備えた鉤溝を形成してなることを特徴とするパッチン錠。
【請求項２】
蓋体と容器体とで構成され、容器体の側面に請求項１記載のベース体を固着し、蓋体に対応した掛け止め部を備えた請求項１記載の掛け止め体及びレバー体を付属品としてなることを特徴とするパッチン錠付き容器。
【発明の詳細な説明】
【０００１】
【産業上の利用分野】
本発明は、パッチン錠及びパッチン錠付き容器に関するものである。
【０００２】
【従来の技術及び発明が解決しようとする課題】
パッチン錠は、周知の通り錠本体装着側に固定するベース体と、前記ベース体に支点枢結したレバー体と、基部を前記レバー体に枢結し且つ先端部に掛け止め部を設けた掛け止め体とを備えてなるもので、施錠連結対象側に適宜な掛け受け部を設け、掛け止め部を掛け受け部に引っかけてレバー体を回動操作することで、施錠するものである。
【０００３】
ところで従前のパッチン錠は前記のとおり錠本体（ベース体とレバー体と掛け止め体）を予め所定の位置に固定してある。このためパッチン錠を使用した器具においては、当該パッチン錠が邪魔な場合がある。
【０００４】
例えば食品貯蔵に使用する密閉金属製容器等においては、パッチン錠の採用で蓋体を密閉することで収納食品が湿気を吸収するのを防止したり、食品の臭いが周囲に拡散するのを防止することができるので、重宝な食品保存容器として多用されている。しかし前記器具を洗浄するときには、容器体に装着したパッチン錠は邪魔になるし、また特に密閉を要しない食品収納に使用する場合に、パッチン錠付設容器は、逆にパッチン錠自体が不要である。
【０００５】
そこで本発明は、着脱構成のパッチン錠及びこの着脱構成のパッチン錠を採用した容器を提案したものである。
【０００６】
【課題を解決する手段】
本発明に係るパッチン錠は、錠本体装着側に固定するベース体と、前記ベース体に支点枢結したレバー体と、基部を前記レバー体に枢結し且つ先端部に掛け止め部を設けた掛け止め体とを備えたパッチン錠において、ベース体とレバー体を分離すると共に、ベース体に支点軸を設け、レバー体の支点枢結部に、前記支点軸の差込部と、前記差込部に連続して装着垂下時の受け部（第一受け部）と掛け止め時の受け部（第二受け部）とを備えた鉤溝を形成してなることを特徴とするものである。
【０００７】
従ってパッチン錠は、固定体となるベース体と、付属体となるレバー体及び掛け止め体との２部材で構成され、施錠に際してのみ付属体を使用するもので、鉤溝内に支点軸を位置させて施錠するものである。
【０００８】
そして特に鉤溝に２つの受け部を連設することで、付属体を支点枢結部に装着した状態では、支点軸が付属体の重量で第一受け部内に納まり、施錠時は、施錠圧力で第二受け部に収まることになり、鉤溝から支点軸の不測の離脱が防止される。
【０００９】
また本発明に係るパッチン錠付き容器は、前記構成のパッチン錠を採用したもので、蓋体と固定体（ベース体）を溶着した容器体とで構成され、蓋体に対応した掛け止め部を備えた付属体を備えてなることを特徴とするものである。
【００１０】
従って施錠時以外には、付属体を外した状態で使用したり洗浄することが可能であり、施錠時に付属体を使用すれば良いものである。
【００１１】
【実施の形態】
次に本発明の実施の形態について、本発明に係るパッチン錠を採用した容器について説明する。
【００１２】
容器は、金属製や樹脂製で、蓋体１と容器体２から構成されると共に、パッチン錠のシステムを付加したものである。即ち蓋体１に固定体（ベース体）３を溶着し、付属体（レバー体及び掛け止め体）４を付属させたものである。
【００１３】
固定体（ベース体）３は、ベース部３１に側板３２を立設し、側板３２間に支点軸３３を架設したもので、ベース部３１を容器体２の所定位置に、支点軸３３が所定方向となるように溶着固定したものである。
【００１４】
付属品となる付属体４は、レバー体４１と掛け止め体４２とで構成され、レバー体４１は、側板３２と対面対応する先端部４１１に鉤溝４１２を設け、支点軸３３を中心に回動操作をなし得るレバー部４１３を設けてなる。
【００１５】
また掛け止め体４２は、基部４２１を、支点軸３３と平行となる状態の枢結軸４２２でレバー体４１の中間部に枢結し、先部を蓋体１の係止受け形状と対応する形状の掛け止め部４２３としたものである。
【００１６】
更に本発明は、前記鉤溝４１２の形状に特徴があり、差込部４１２ａと、第一受け部４１２ｂ、第二受け部４１２ｃとを備えてなる。差込部４１２ａは、前記支点軸３３の幅と対応し、差込部４１２ａの奥方に第一受け部４１２ｂと第二受け部４１２ｃを連設してなる。第一受け部４１２ｂは、支点軸３３を鉤溝４１２内に差し入れて手放しした状態（付属体４の自重による垂下状態）で支点軸３３が収まり、当該状態で差込部４１２ａへの移動が容易になされない位置に設けたものである。
【００１７】
第二受け部４１２ｃは、更にレバー体４１を回動操作して、掛け止め部４２３を蓋体１に係止して施錠状態とした際に、当該状態で差込部４１２ａへの移動が容易になされない位置に設けたものである。
【００１８】
最も鉤溝の単純な例として第一受け部４１２ｂと第二受け部４１２ｃとが長孔を形成し、その中間部に差込部４１２ａが設けられている形状としているものである。
【００１９】
而して前記容器は、施錠時以外には、付属体４を外した状態や装着した状態を選択できるもので、特に容器の洗浄時などでは、付属体４を外すことで洗浄を容易にすることができ、また装着状態のまま使用しても、付属体４が容易に離脱することが無いので、煩雑な事態は生じ難い。
【００２０】
また施錠に際しては、レバー体の操作で容易に施錠することができると共に、着脱可能で且つ離脱防止構造として多用されている支点軸３３の扁平化を採用する必要が無く、相応の強度を維持できるものである。
【００２１】
尚本発明のパッチン錠は、前記の金属製容器への採用に限定されるものではなく、その他パッチン錠が採用されている箇所全てに適用できるものである。
【００２２】
【発明の効果】
以上のように本発明は、パッチン錠の構成を、錠本体装着側に固定するベース体（固定体）と、レバー体及び掛け止め体からなる付属体とで構成し、ベース体には支点軸を設け、レバー体の支点枢結部には、前記支点軸の差込部と、前記差込部に連続して装着垂下時の受け部（第一受け部）と、掛け止め時の受け部（第二受け部）とを備えた鉤溝を形成してなるパッチン錠であり、また前記パッチン錠を採用した容器で、パッチン錠の構成を着脱自在とした付属体を含むことによって、錠本体が邪魔になる場合には付属体を分離して対応できるものである。
【図面の簡単な説明】
【図１】本発明の実施形態の要部斜視図。
【図２】同付属体の装着状態の説明図（垂下状態）。
【図３】同付属体の装着状態の説明図（施錠状態）。
【図４】同鉤溝の拡大説明図。
【符号の説明】
１　　　　　蓋体
２　　　　　容器体
３　　　　　固定体（ベース体）
３１　　　　ベース部
３２　　　　側板
３３　　　　支点軸
４　　　　　付属体
４１　　　　レバー体
４１１　　　先端部
４１２　　　鉤溝
４１２ａ　　差込部
４１２ｂ　　第一受け部
４１２ｃ　　第二受け部
４１３　　　レバー部
４２　　　　掛け止め体
４２１　　　基部
４２２　　　枢結軸
４２３　　　掛け止め部
【図１】
2004115067.tif 000003
【図２】
2004115067.tif 000004
【図３】
2004115067.tif 000005
【図４】
2004115067.tif 000006